(57)【要約】【課題】  操作入力手段による記憶開始操作及び記憶停止操作時におけるタイムラグによる遅延状態をユーザが明確に確認するようにする。【解決手段】  録画スイッチあるいはリモコン装置によってディスク１２に記憶開始信号を出力しても、実際にディスク１２に記憶されるまでには数秒程度のタイムラグが生る。同様に、録画スイッチ２１をオフして記憶停止信号を出力しても実際にディスク１２の記憶が停止されるまでには数秒程度のタイムラグが生じる。その入力遅延状態ａ１及び停止遅延状態ａ２において録画モードを示す発光表示部を点滅させ、実際にディスクに記憶が開始させてから、記憶停止信号が出力されるまで間、発光表示部２７を点灯するように制御する。これにより、記憶開始時及び記憶停止時におけるタイムラグによるズレを発光表示部の状態で視覚的に確認することができる。【選択図】      図４
2005341013.tif 000002
【特許請求の範囲】
【請求項１】
映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、該表示手段が、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態を報知する遅延報知機能を有することを特徴とする遅延報知機能を備えた記憶再生装置。
【請求項２】
前記表示手段を発光表示させて前記記憶再生媒体の記憶モードを表示するように構成するとともに、この表示手段を、前記入力及び停止遅延状態で点滅させ、前記記憶再生媒体への記憶が開始してから前記記憶停止信号が出力されるまでの間に点灯させる制御手段を設けたことを特徴とする請求項１記載の遅延報知機能を備えた記憶再生装置。
【請求項３】
前記表示手段を発光表示させて前記記憶再生媒体の記憶モードを表示するように構成するとともに、前記入力及び停止遅延状態と、前記記憶再生媒体への記憶が開始してから前記記憶停止信号が出力されるまでの間とで前記表示手段の表示色を変える制御手段を設けたことを特徴とする請求項１記載の遅延報知機能を備えた記憶再生装置。
【請求項４】
前記表示手段を発光表示させて前記記憶再生媒体の記憶モードを表示するように構成するとともに、該表示手段が、前記入力及び停止遅延状態で発光表示する遅延表示部と、前記記憶再生媒体への記憶が開始してから前記記憶停止信号が出力されるまでの間に発光表示する記憶動作表示部とを備えたことを特徴とする請求項１記載の遅延報知機能を備えた記憶再生装置。
【請求項５】
前記表示手段を、前記記憶再生装置に設けた発光ダイオードなどなら成る発光表示部又はモニタにオンスクリーン表示させるオンスクリーン表示部によって構成したことを特徴とする請求項２〜４の何れか１項に記載の遅延報知機能を備えた記憶再生装置。
【請求項６】
映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態で音声又は警告音を発生させる警報手段を備えたことを特徴とする請求項１記載の遅延報知機能を備えた記憶再生装置。
【発明の詳細な説明】
【技術分野】
【０００１】
本発明は、ハードディスク、ＤＶＤ−ＲＡＭ、ＤＶＤ−ＲＷなどのランダムアクセス可能な記憶メディアに映像信号を記憶及び再生する機能を有する遅延報知機能を備えた記憶再生装置に関する。
【背景技術】
【０００２】
近年、記録メディアの急速な進歩により、テレビ放送波の品質を維持し、個人が気軽に映像データ（放送コンテンツ）をハードディスク、ＤＶＤ−ＲＡＭ、ＤＶＤ−ＲＷなどのランダムアクセス可能な記憶メディアに保存したり編集することができる記憶再生装置が普及している。このような、記憶再生装置は、ユーザが行う各種の操作の内容がモニタや記憶再生装置に設けた表示部に文字や記号あるいは図案化された記号などによって視覚的に確認できるようになっており、例えば、特許文献１には、ディスクプレーヤにおいて、ディスクプレーヤに対して各種の操作指令、例えばプレイスタート、ディスクイジェクト等の指令をなすための複数の操作キーを備え、この操作キーによってディスクがプレーヤ内に挿入されると情報片数または／及び再生時間を読み取るとともに、表示モードとなり、表示部に所定の表示、例えば、曲数及び再生時間等の種々の表示や音量調節や左右のバランス調整などの調整表示あるは再生中、早送り、巻き戻しなどといった各種の動作表示を行うように構成したデイスクプレーヤにおける表示方法が開示されている。
【０００３】
【特許文献１】特開平１０−１７２２２３号公報
【発明の開示】
【発明が解決しようとする課題】
【０００４】
ところで、ハードディスクやＤＶＤ−ＲＷなどのランダムアクセス可能な記憶は高速にランダムアクセスができる記録再生媒体は、その媒体に記録される映像信号はＭＰＥＧなどの符号化方式により圧縮符号化された信号が記録され、記録された信号が再生され、復号されて得られる映像信号をモニタするように構成されている。
【０００５】
このような、圧縮符号化、及び復号処理を行うための処理速度は半導体技術の進歩により高速化されてはいるものの、数秒程度の処理時間を要しており、遅延が生じてしまう。すなわち、映像信号を記憶する場合、映像信号をＭＰＥＧエンコーダで圧縮符号化（エンコード）する際の録画ビットレートの設定、録画モードをビデオモードとするかＶＲモードとするかの設定、記憶再生媒体内の情報を読み取ってどこに記憶（録画）するかを決定するための記憶開始位置の確認といった各種の設定及び確認処理が必要であり、記憶開始時において、記憶再生媒体へ記憶する際、操作キーによって記憶開始信号を出力しても、実際、記憶再生媒体に記憶されるまでの間に数秒程度のタイムラグが生じる。これと同様、記憶再生媒体への記憶を停止するに際しても、映像信号を圧縮符号化（エンコード）する際、ＭＰＥＧエンコーダを動作させるためには、映像信号をＭＰＥＧエンコーダに直接入力せずに、一旦、ＭＰＥＧエンコーダの作業領域として使用するＳＤＲＡＭなどのメモリに記憶してから圧縮符号化され、メモリへの記憶時間分だけ遅れてディスクに記憶（録画）されることから、操作キーによって記憶停止信号を出力しても、実際、記憶再生媒体への記憶が停止されるまでの間に数秒程度のタイムラグが生じる。このため、ユーザが例えば、チューナから送られる映像を記憶再生媒体へ記憶するために、録画用操作キーによって録画モードの指令を出力しても、その操作キーに連動して録画モードを示す表示部が表示されているにもかかわらず実際には記憶再生媒体への記憶は、僅かではあるが遅れて記憶されることになる。同様に記憶終了時においても、操作キーによって記憶停止用の操作を行っても、実際、記憶再生媒体への記憶が終了するまでには、数秒程度のタイムラグが生じ、記憶停止操作後、記憶再生媒体に余分な映像が記憶されることになる。このため、ユーザはモニタに映し出される映像によって映像の録画の開始位置と停止位置を確認しているにも拘らず、実際に録画される映像は、録画開始直後の映像が記憶されず、逆に録画停止後、余分な映像が録画されるといった遅延が生じ、表示部により表示と実際、録画された映像にズレてしまう、という課題を有している。
【０００６】
本発明は、上記課題に鑑みてなされたもので、操作入力手段による記憶開始操作及び記憶停止操作時におけるタイムラグによる遅延状態をユーザが明確に確認することが可能な遅延報知機能を備えた記憶再生装置を提供することを目的とする。
【課題を解決するための手段】
【０００７】
本発明の請求項１の遅延報知機能を備えた記憶再生装置は、映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、該表示手段が、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態を報知する遅延報知機能を有することを特徴とする。
【０００８】
請求項１の構成により、ユーザが、記憶再生媒体へ記憶するための、操作入力手段によって憶再生媒体に記憶開始信号を出力しても、実際に憶再生媒体に記憶されるまでには数秒程度のタイムラグが生じ、また、操作入力手段により記憶停止信号を出力しても実際に憶再生媒体への記憶が停止されるまでには数秒程度のタイムラグが生じることになるが、その入力遅延状態及び停止遅延状態において表示手段の遅延報知機能によってタイムラグによる遅延状態を確認することができる。これにより、その遅延状態を含めて操作すれば、ユーザが所望する映像と、実際、記憶再生媒体に記憶される映像とにズレが生じるといったミスを回避することができる。
【０００９】
本発明の請求項２の遅延報知機能を備えた記憶再生装置は、請求項１記載の遅延報知機能を備えた記憶再生装置において、前記表示手段を発光表示させて前記記憶再生媒体の記憶モードを表示するように構成するとともに、この表示手段を、前記入力及び停止遅延状態で点滅させ、前記記憶再生媒体への記憶が開始してから前記記憶停止信号が出力されるまでの間に点灯させる制御手段を設けたことを特徴とする。
【００１０】
請求項２の構成により、操作入力手段により記憶停止信号を出力すると、表示部は制御手段により記憶停止信号を出力してから実際、記憶再生媒体に記憶が開始されるまでは点滅し、その記憶再生媒体への記憶開始と同時に、表示部は点灯動作へ移行した後、ユーザが記憶停止信号を出力してから実際、記憶再生媒体への記憶が停止するまでは表示部は再び点滅する。これにより、ユーザは表示部が点滅状態にある時、タイムラグによる遅延状態であることを確認することが可能となる。
【００１１】
本発明の請求項３の遅延報知機能を備えた記憶再生装置は、請求項１記載の遅延報知機能を備えた記憶再生装置において、前記表示手段を発光表示させて前記記憶再生媒体の記憶モードを表示するように構成するとともに、前記入力及び停止遅延状態と、前記記憶再生媒体への記憶が開始してから前記記憶停止信号が出力されるまでの間とで前記表示手段の表示色を変える制御手段を設けたことを特徴とする。
【００１２】
請求項３の構成により、操作入力手段により記憶停止信号を出力すると、表示部は制御手段により記憶停止信号を出力してから実際、記憶再生媒体に記憶が開始されるまで表示部が点灯するが、その記憶再生媒体への記憶開始と同時に、表示部が表示色が変更される。この後、ユーザが記憶停止信号を出力してから実際、記憶再生媒体への記憶が停止するまで表示部が初期の表示色に切り換わる。これにより、ユーザは表示部の表示色によってタイムラグによる遅延状態であることを確認することが可能となる。
【００１３】
本発明の請求項４の遅延報知機能を備えた記憶再生装置は、請求項１記載の遅延報知機能を備えた記憶再生装置において、前記表示手段を発光表示させて前記記憶再生媒体の記憶モードを表示するように構成するとともに、該表示手段が、前記入力及び停止遅延状態で発光表示する遅延表示部と、前記記憶再生媒体への記憶が開始してから前記記憶停止信号が出力されるまでの間に発光表示する記憶動作表示部とを備えたことを特徴とする。
【００１４】
請求項４の構成により、操作入力手段により記憶停止信号を出力すると、遅延表示部が表示され、実際、記憶再生媒体に記憶が開始されてから記憶停止信号を出力されるまで記憶動作表示部が表示され、さらに、記憶停止信号が出力されてから実際、記憶再生媒体への記憶が停止するまで再び遅延表示部が表示される。これにより、ユーザは遅延表示部を確認することによって、タイムラグによる記憶開始時と終了時における遅延状態を確認することが可能となる。
【００１５】
本発明の請求項５の遅延報知機能を備えた記憶再生装置は、前記請求項２〜４の何れか１項に記載の遅延報知機能を備えた記憶再生装置において、前記表示手段を、前記記憶再生装置に設けた発光ダイオードなどなら成る発光表示部又はモニタにオンスクリーン表示させるオンスクリーン表示部によって構成したことを特徴とする。
【００１６】
本発明の請求項５の構成により、入力遅延状態及び停止遅延状態にあるとき、これを発光ダイオードなどなら成る発光表示部又はモニタにオンスクリーン表示部によって確認することが可能となる。
【００１７】
本発明の請求項６の遅延報知機能を備えた記憶再生装置は、映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態で音声又は警告音を発生させる警報手段を備えたことを特徴とする。
【００１８】
請求項６の構成により、入力遅延状態及び停止遅延状態にあるとき、これを音声又は警告音によって確認することが可能となる。
【発明の効果】
【００１９】
本発明の請求項１の遅延報知機能を備えた記憶再生装置によれば、映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、該表示手段が、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態を報知する遅延報知機能を有するものであるから、記憶開始時及び記憶停止時におけるタイムラグによるズレを明確に確認することでき、記憶再生媒体に記憶される映像の遅延を予測することが可能となるので、その遅延状態を含めて操作すれば、ユーザが所望する映像と、実際、記憶再生媒体に記憶される映像とにズレが生じるといったミスを回避することができる。
【００２０】
本発明の請求項２の遅延報知機能を備えた記憶再生装置によれば、請求項１記載の遅延報知機能を備えた記憶再生装置において、前記表示手段を発光表示させて前記記憶再生媒体の記憶モードを表示するように構成するとともに、この表示手段を、前記入力及び停止遅延状態で点滅させ、前記記憶再生媒体への記憶が開始してから前記記憶停止信号が出力されるまでの間に点灯させる制御手段を設けたものであるから、記憶開始時及び記憶停止時におけるタイムラグによるズレを表示手段の点滅、点灯状態で視覚的に確認することができる。
【００２１】
本発明の請求項３の遅延報知機能を備えた記憶再生装置によれば、請求項１記載の遅延報知機能を備えた記憶再生装置において、前記表示手段を発光表示させて前記記憶再生媒体の記憶モードを表示するように構成するとともに、前記入力及び停止遅延状態と、前記記憶再生媒体への記憶が開始してから前記記憶停止信号が出力されるまでの間とで前記表示手段の表示色を変える制御手段を設けたものであるから、記憶開始時及び記憶停止時におけるタイムラグによるズレを表示手段の表示色によって視覚的に確認することができる。
【００２２】
本発明の請求項４の遅延報知機能を備えた記憶再生装置によれば、請求項１記載の遅延報知機能を備えた記憶再生装置において、前記表示手段を発光表示させて前記記憶再生媒体の記憶モードを表示するように構成するとともに、該表示手段が、前記入力及び停止遅延状態で発光表示する遅延表示部と、前記記憶再生媒体への記憶が開始してから前記記憶停止信号が出力されるまでの間に発光表示する記憶動作表示部とを備えたものであるから、記憶開始時及び記憶停止時におけるタイムラグによるズレを遅延表示部の表示によって視覚的に確認することができる。
【００２３】
本発明の請求項５の遅延報知機能を備えた記憶再生装置によれば、前記請求項２〜４の何れか１項に記載の遅延報知機能を備えた記憶再生装置において、前記表示手段を、前記記憶再生装置に設けた発光ダイオードなどなら成る発光表示部又はモニタにオンスクリーン表示させるオンスクリーン表示部によって構成したものであるから、記憶開始時及び記憶停止時におけるタイムラグによるズレを発光表示部又はモニタにオンスクリーン表示させるオンスクリーン表示部によって視覚的に確認することができる。
【００２４】
本発明の請求項６の遅延報知機能を備えた記憶再生装置によれば、映像信号を符号化してランダムアクセス可能な記憶再生媒体に記憶するとともに、その記憶された符号化信号を復号してモニタに表示させる記憶再生装置において、前記記憶再生媒体へ記憶する際の記憶開始信号と記憶停止信号を出力する操作入力手段と、この操作入力手段と連動する表示手段を備えるとともに、前記操作入力手段による記憶開始信号を出力してから実際に記憶再生媒体に記憶されるまでの間の入力遅延状態及び記憶停止信号を出力してから実際に記憶再生媒体の記憶が停止するまでの間の停止遅延状態で音声又は警告音を発生させる警報手段を備えたものであるから、記憶開始時及び記憶停止時におけるタイムラグによる遅延を音声または警報音によって効果的に確認することができる。
【発明を実施するための最良の形態】
【００２５】
以下、添付図面を参酌しながら、図１〜図４に基づいて本発明を実施するための最良の形態としての実施例を説明する。
【００２６】
図１は本発明の第１実施例を示す遅延報知機能を備えた記憶再生装置１のブロック図であり、映像記憶再生装置１は、装置全体の動作を制御するためのメインマイコン２と、ＭＰＥＧエンコーダ３、ＭＰＥＧデコーダ４及びビデオエンコーダ６、ビデオデコーダ５を制御するＤＶＤマイコン７を有している。また、映像記憶再生装置１には、受信アンテナで受信される複数の放送信号より希望のチャネルの放送信号を選択し、その放送信号に対応するビデオ信号を得るチューナ７と、このチューナ７より出力されるビデオ信号又はビデオエンコーダ６より出力されるビデオ信号による映像を表示するＣＲＴ（Ｃａｔｈｏｄｅ−Ｒａｙ  Ｔｕｂｅ）ディスプレイ、あるいはＬＣＤ（Ｌｉｑｕｉｄ  Ｃｒｙｓｔａｌ  Ｄｉｓｐｌａｙ）等のフラットパネルディスプレイで構成されるモニタ８と、このモニタ８に映像を映し出すための映像処理を行うクロマ９及び音声処理部１０とを有している。また、ＭＰＥＧデコーダ４にはＤＶＤマイコン７の制御に伴って生成されるデータを格納したり、ワーキングエリアとして用いられるＲＡＭ（Ｒａｎｄｏｍ  Ａｃｃｅｓｓ  Ｍｅｍｏｒｙ）１１及び記憶再生媒体としてディスク１２に記憶されたデータを読み取りあるいは記憶するためのピックアップ１３が接続されている。
【００２７】
ビデオデコーダ５は、記録時にチューナ７より出力されるビデオ信号に対してＡ／Ｄ変換処理をしてデジタルの記録、ビデオデータを得ると共に、この記録ビデオデータに対してＭＰＥＧエンコーダ３でデジタル信号を圧縮処理して記録用のＭＰＥＧストリームを生成する。ＭＰＥＧデコーダ４は、再生時に、ディスクに記憶されたＭＰＥＧストリームに対してデータ伸長処理をして再生ビデオデータを生成し、その再生ビデオデータをビデオエンコーダ６に出力してＤ／Ａ変換処理をしてアナログのビデオ信号を得ている。
【００２８】
前記映像記憶再生装置１は、図３に示すように、前操作入力手段として前面に録画スイッチ２１、再生スイッチ２２、停止スイッチ２３、早送りスイッチ２４、早戻しスイッチ２５、電源スイッチ２６を備えるとともに、録画モード時に点灯する表示手段として発光ダイオードなどからなる発光表示部２７を備えている。また、前記メインマイコン２は、図２に示すように、前記各スイッチ２１〜２５あるいはリモコン装置などから送信される入力信号を判別するキー判別部３０と、このキー判別部３０から送られる信号に基づいてユーザが要求する動作信号を出力する動作指示部３１及び動作制御部３２を有している。動作制御部３２は、動作指示部３１からの信号に基づいて画面表示部３３からクロマ９へと信号を出力してモニタ８に映像を表示させる処理を行うとともに、ＤＶＤマイコン７に信号を出力してディスク２の記憶又は再生処理を行う。さらに、前記ディスク２の記憶（録画）時に前記発光表示部２７の発光状態を制御する制御部３４を備えており、この制御部３４によって前記録画スイッチ２１による記憶開始信号を出力してから実際にディスク１２に映像が記憶されるまでの入力遅延状態ａ１及び前記録画スイッチ２１による記憶停止信号を出力してから実際にディスク１２への記憶が停止するまでの間の停止遅延状態ａ２で発光表示部２７を点滅させるとともに、それ以外、すなわち、実際にディスク１２に記憶が開始させてから、記憶停止信号が出力されるまで間、発光表示部２７を点灯するように制御する。なお、実際のディスク１２へ記憶開始されたかの判別及び実際のディスク１２への記憶停止の判別は、ディスク１２に映像信号を書き込むピックアップ１３からの書き込み信号をＤＶＤマイコン７を経由して制御部３４に出力し、その信号に基づいて判別するようにしている。
【００２９】
以上のように構成される本実施例は、例えば、ユーザが、チューナ７から送られる番組を録画する場合、録画スイッチ２１あるいはリモコン装置によってディスク１２に記憶開始信号を出力しても、実際にディスク１２に記憶されるまでには数秒程度のタイムラグが生じ、また、録画スイッチ２１をオフして記憶停止信号を出力しても実際にディスク１２の記憶が停止されるまでには数秒程度のタイムラグが生じることになるが、図４の説明図で示すように、入力遅延状態ａ１及び停止遅延状態ａ２において録画モードを示す発光表示部２７が点滅し、ユーザに遅延状態を視覚的に確認することができ、録画開始時においてユーザは発光表示部２７が点滅状態にあるとき、ディスク１２には映像信号が記憶されていないことを視覚的に表示することが可能となり、また、記憶停止時においては、録画開始時と同様、ユーザが録画スイッチ２１をオフしてから実際にディスク１２の記憶が停止するまでの停止遅延状態ａ２で発光表示部２７を点滅させることで、発光表示部２７が点滅にある時は、録画スイッチ２１をオフしても、ディスク１２には継続的に映像が記憶されていることが視覚的に判断することができる。したがって、記憶開始時及び記憶停止時におけるタイムラグによるズレを明確に確認することでき、ディスク１２に記憶される映像の遅延を予測することが可能となるので、その遅延状態を含めて操作すれば、ユーザが所望する映像と、実際、記憶再生媒体に記憶される映像とにズレが生じるといったミスを回避することができる。
【００３０】
図５は本発明の第２実施例を示しており、前記第１実施例と同一機能を有する部分には、同一符号を付し、重複する部分の説明を省略し、異なる部分についてのみ説明する。前記第１実施例では、入力遅延状態と停止遅延状態において発光表示部２７を点滅させ、それ以外、発光表示部２７を点灯させることによって、入力遅延状態ａ１及び停止遅延状態ａ２を表示するように構成した例を示したが、本実施例では、録画スイッチ２１をオンしてから実際にディスク１２に記憶するまでの入力遅延状態ａ１と録画スイッチ２１による記憶停止信号を出力してから実際にディスク１２への記憶が停止するまでの間の停止遅延状態ａ２において、発光表示部２７をオレンジ色に発光させ、それ以外は発光表示部２７を赤色に発光するように制御している。このように、入力遅延状態ａ１及び停止遅延状態ａ２と、記憶停止信号を出力してから実際にディスク１２への記憶が停止するまでの発光表示部２７の表示色を変えることで、前記第１実施例と同様、記憶開始時及び記憶停止時におけるタイムラグによるズレを明確に確認することでき、ディスク１２に記憶される映像の遅延を予測することが可能となるので、その遅延状態を含めて操作すれば、ユーザが所望する映像と、実際、記憶再生媒体に記憶される映像とにズレが生じるといったミスを回避することができる。
【００３１】
図６は本発明の第３実施例を示しており、前記各実施例と同一機能を有する部分には、同一符号を付し、重複する部分の説明を省略し、異なる部分についてのみ説明する。本実施例では、録画スイッチ２１による記憶開始信号を出力してから実際にディスク１２に記憶されるまでの間の入力遅延状態と録画スイッチ２１による記憶停止信号を出力してから実際にディスク１２への記憶が停止するまでの間の停止遅延状態で点灯する遅延表示部４０と、ディスク１２への記憶が開始してから録画スイッチ２１による記憶停止信号が出力されるまでの間に発光表示する記憶動作表示部４１とを備えている。そして、録画スイッチ２１をオンして、実際にディスク１２に記憶するまでの入力遅延状態と録画スイッチ２１による記憶停止信号を出力してから実際にディスク１２への記憶が停止するまでの間の停止遅延状態において、遅延表示部４０を点灯させ、それ以外は記憶動作表示部４１を点灯するように制御している。このように、録画スイッチ２１による記憶開始信号を出力してから実際にディスク１２に記憶されるまでの間の入力遅延状態と録画スイッチ２１による記憶停止信号を出力してから実際にディスク１２への記憶が停止するまでの間の停止遅延状態で点灯する遅延表示部４０と、ディスク１２への記憶が開始してから録画スイッチ２１による記憶停止信号が出力されるまでの間に発光表示する記憶動作表示部４１とを設けることで、前記各実施例と同様、記憶開始時及び記憶停止時におけるタイムラグによるズレを明確に確認することできる。
【００３２】
図７は本発明の第４実施例を示しており、前記各実施例と同一機能を有する部分には、同一符号を付し、重複する部分の説明を省略し、異なる部分についてのみ説明する。本実施例では、遅延報知機能として録画スイッチ２１による記憶開始信号を出力してから実際にディスク１２に記憶されるまでの間の入力遅延状態と録画スイッチ２１による記憶停止信号を出力してから実際にディスク１２への記憶が停止するまでの間の停止遅延状態で音声又は「ピッピッ」などの警告音を発生させる警報手段５０を備え、この警報手段５０によって入力遅延状態及び停止遅延状態でスピーカー５１から警報音を鳴動させる。これにより、記憶開始時及び記憶停止時におけるタイムラグによるズレをスピーカー５１から警報音で効果的に警報することができる。
【００３３】
以上、本発明の実施例について詳述したが本発明は、前記実施例に限定されるものではなく、本発明の要旨の範囲内で種々の変形実施が可能である。例えば、前記実施例では、映像記憶再生装置に発光ダイオードなどからなる発光表示部を備えた例を示したが、図８に示すように、映像記憶再生装置に再生時間やチャンネルをデジタル表示する表示パネル５５を設け、この表示パネル５５内に点滅による報知あるいは表示色の変更による遅延報知機能を有する発光表示部５６を設ける構成、あるいは図９に示すように、前記表示パネル５５に入力遅延状態と停止遅延状態で点灯する遅延表示部６０と、ディスク１２への記憶が開始してから録画スイッチ２１による記憶停止信号が出力されるまでの間に発光表示する記憶動作表示部６１を設ける構成であってもよい。さらに、このような発光ダイオードなどからなる発光表示部以外でも、図１０及び図１１に示すように、モニタ８にオンスクリーン表示させるオンスクリーン表示部６５を設け、このオンスクリーン表示部６５を点滅あるいは表示色の変更によって遅延報知機能を持たせるかもしくは、入力遅延状態及びと停止遅延状態で点灯する遅延表示部７０と、ディスク１２への記憶が開始してから録画スイッチ２１による記憶停止信号が出力されるまでの間に発光表示する記憶動作表示部７１を設ける構成であってもよい。さらに、このような表示部を発光させて表示を行う以外でも文字あるいは図案化された記号などによる表示で入力遅延状態及びと停止遅延状態を表示するように構成してもよく、要は入力遅延状態及びと停止遅延状態をユーザに認識できる構成であればよい。また、映像記憶再生装置の基本的な回路構成や表示部の形態あるいは記憶再生媒体は前記実施例に限定されるものではなく、適宜選定すればよい。
【図面の簡単な説明】
【００３４】
【図１】本発明の第１実施例を示す映像記憶再生装置のブロック図である。
【図２】同上、マイコン内部のブロック図である。
【図３】同上、映像記憶再生装置の正面図である。
【図４】同上、発光表示部の作動状態と録画状態の関係を示す説明図である。
【図５】本発明の第２実施例を示す発光表示部の作動状態と録画状態の関係を示す説明図である。
【図６】本発明の第３実施例を示す映像記憶再生装置の正面図である。
【図７】本発明の第４実施例を示すマイコン内部のブロック図である。
【図８】本発明の発光表示部の変形例を示す表示パネルの正面図である。
【図９】本発明の発光表示部の変形例を示す表示パネルの正面図であり、遅延表示部と記憶動作表示部とを設けた例を示している。
【図１０】本発明の発光表示部をオンスクリーン表示した変形例を示すモニタの正面図である。
【図１１】本発明の発光表示部をオンスクリーン表示した変形例を示すモニタの正面図であり、遅延表示部と記憶動作表示部とを設けた例を示している。
【符号の説明】
【００３５】
１  映像記憶再生装置
１２  ディスク（記憶再生媒体）
２１  録画スイッチ（操作入力手段）
２７，５６  発光表示部（表示手段）
３４  制御部（制御手段）
４０，６０  遅延表示部
４１，６１  記憶動作表示部
５０  警報手段
６５  オンスクリーン表示部
【図１】
2005341013.tif 000003
【図２】
2005341013.tif 000004
【図３】
2005341013.tif 000005
【図４】
2005341013.tif 000006
【図５】
2005341013.tif 000007
【図６】
2005341013.tif 000008
【図７】
2005341013.tif 000009
【図８】
2005341013.tif 000010
【図９】
2005341013.tif 000011
【図１０】
2005341013.tif 000012
【図１１】
2005341013.tif 000013